(57)【要約】
【課題】　幼児でも、内ケースの出し入れを容易に行うことができ、取り出した内ケースを安定して移動させることができる収納ケースの提供を課題とする。
【解決手段】　本実施例の収納ケースは、外ケース１０と、外ケース１０の開口から出し入れ自在である内ケース３０を備える。外ケース１０は、内部が中空で前方に開口したボックスであり、前端下辺にはスロープ部材２０が着脱可能に取り付けられている。また、内ケース３０の底部前端および後端の左右両端には車輪３１、３１、３１、３１が設けられている。
【選択図】　　　図１
0003099679.tif 000002
【実用新案登録請求の範囲】
【請求項１】
　内部が中空で前方に開口した外ケースと、この外ケースの開口から出し入れ自在であり上面を開口した内ケースとからなる収納ケースであって、
　前記内ケースの底部前端および後端の左右両端に車輪が設けられるとともに、前記外ケースの前端下辺には、この外ケースの底板上面から斜め下前方に傾斜する傾斜面を有するスロープ部材が着脱可能に取り付けられたことを特徴とする収納ケース。
【請求項２】
　前記外ケースは、前端に枠部材が嵌められており、この外ケースの底板下面にはこの枠部材後端に隣接し左右方向に長い溝部が形成され、
　前記スロープ部材の上面には枠部材が嵌まり得る左右に長い凹部が設けられ、この凹部の後壁が前記溝部に強制嵌合可能に形成されていることを特徴とする請求項１に記載の収納ケース。
【請求項３】
　前記内ケースの前壁上端が後壁より低く形成され、前記外ケースにこの内ケースを収納した状態において、この内ケースの前面上部が内容物を取り出し可能な程度に開口していることを特徴とする請求項１または請求項２のいずれかに記載の収納ケース。
【請求項４】
　前記内ケースの前壁および後壁の両方に、取っ手が設けられていることを特徴とする請求項１から請求項３のいずれかに記載の収納ケース。
【考案の詳細な説明】
【技術分野】
【０００１】
　本考案は、引き出し式の中ケースを備えた収納ケースに関する。
【背景技術】
【０００２】
　従来から、内ケースの出し入れ操作を安定して円滑に行うために、内ケースの後端および外ケースの前端に車輪を設けた収納ケースが提案されている（例えば、特許文献１参照）。
【特許文献１】特開２００２−３２６６３２号公報
【考案の開示】
【考案が解決しようとする課題】
【０００３】
　しかしながら、上記で開示されている収納ケースの内ケースは、車輪が後端にしか設けられておらず、内ケースを外ケースから取り出す際には、外ケース上面と外ケースが載置される面との間に段差があるので、一度内ケースを持ち上げなくてはならなかった。また、取り出した内ケースを外ケースに戻す際も同様に、一度内ケースを持ち上げなくてはならなかった。よって、幼児が、玩具等を収納した内ケースを出し入れする場合や、内容物が重い場合等では、内ケースをスムーズに出し入れすることができず不便であった。さらに、取り出した内ケースを移動させる際には、車輪が後端部にしか設けられていないので、安定して移動させることができなかった。
【０００４】
　本考案は、かかる事情に鑑みてなされたものであり、幼児でも、内ケースの出し入れを容易に行うことができ、取り出した内ケースを安定して移動させることができる収納ケースの提供を課題とする。
【課題を解決するための手段】
【０００５】
　上記の課題を達成するため、本考案の収納ケースは、内部が中空で前方に開口した外ケースと、この外ケースの開口から出し入れ自在であり上面を開口した内ケースとからなる収納ケースであって、前記内ケースの底部前端および後端の左右両端に車輪が設けられるとともに、前記外ケースの前端下辺には、この外ケースの底板上面から斜め下前方に傾斜する傾斜面を有するスロープ部材が着脱可能に取り付けられたことを特徴とする。
【０００６】
　上記の収納ケースは、内ケースの前端および後端に車輪が設けられ、外ケースの前端下辺にスロープ部材が設けられているので、幼児でも、内ケースの出し入れを容易に行うことができ、取り出した内ケースを安定して移動させることができる。また、スロープ部材が外ケースに対して着脱可能に取り付けられているので、複数個の収納ケースを上下に積み重ねる場合、外ケースに取り付けられているスロープ部材を取り外し、他の外ケースの上に載置することができる。
【０００７】
　また、好ましくは上記の構成に加えて、前記外ケースは、前端に枠部材が嵌められており、この外ケースの底板下面にはこの枠部材後端に隣接し左右方向に長い溝部が形成され、前記スロープ部材の上面には枠部材が嵌まり得る左右に長い凹部が設けられ、この凹部の後壁が前記溝部に強制嵌合可能に形成されていることを特徴とする収納ケースである。
【０００８】
　また、上記いずれかの構成に加えて、前記内ケースの前壁上端が後壁より低く形成され、前記外ケースにこの内ケースを収納した状態において、この内ケースの前面上部が内容物を取り出し可能な程度に開口していることを特徴とする収納ケースである。
【０００９】
　或いは、上記いずれかの構成に加えて、前記内ケースの前壁および後壁の両方に、取っ手が設けられていることを特徴とする収納ケースである。
【考案の効果】
【００１０】
　本考案の収納ケースは、内ケースの前端および後端に車輪が設けられ、外ケースの前端下辺にスロープ部材が取り付けられているので、幼児でも、内ケースの出し入れを容易に行うことができ、取り出した内ケースを安定して移動させることができる。
【考案を実施するための最良の形態】
【００１１】
　以下、本考案の収納ケースについて、図面を参照しながら説明する。
【００１２】
　図１は、本考案の収納ケースの一実施例を示す斜視図であり、中ケース３０を手前に引き出した状態を示している。図２は、本実施例の収納ケースにおいて、中ケース３０を取り出した状態の外ケース１０を示す斜視図であり、図３は、中ケース３０を示す斜視図である。また、図４は、スロープ部材２０を前方から見た斜視図であり、図５は、スロープ部材２０の平面図である。さらに、図６は、本実施例の収納ケースにおいて、中ケース３０を外ケース１０に収納した状態の縦断面図であり、図１におけるＸ−Ｘ断面図である。そして、図７は、図６におけるＡ部分の分解拡大図である。
【００１３】
　これらの図に示すように、本実施例の収納ケースは、外ケース１０と、外ケース１０の開口から出し入れ自在である内ケース３０を備えており、内ケース３０の底部前端および後端の左右両端には車輪３１、３１、３１、３１が設けられ、外ケース１０の前端下辺にはスロープ部材２０が取り付けられている。
【００１４】
　外ケース１０は、内部が中空で前方に開口したボックス形状である。本実施例では、少なくとも前方および上方に開口したボックス状とされ、図６に示すように、上面の周辺縁に蓋１３が嵌め込まれて設けられる。
【００１５】
　なお、本実施例では収納ケースは一段だけであるが、複数個の収納ケースを上下に積み重ね可能としてもよい。この場合、一の蓋付き外ケース１０の上面に別の外ケース１０を単に載置する構成でもよいが、その上下の外ケース１０、１０同士を互いに連結するのが好ましい。すなわち、一の外ケース１０上面に蓋１３を設ける代わりに、他の外ケース１０の下端縁を嵌め込んで連結し、最上段の外ケース１０の上面のみに蓋１３を設ける構成とすることができる。
【００１６】
　上記のように複数個の収納ケースを上下に積み重ねる場合、一の外ケース１０の上面に積まれる別の外ケース１０に取り付けられたスロープ部材２０は、取り外しておく必要がある。なお、最下段の外ケース１０の底面には、キャスターを設けることもできる。
【００１７】
　また、外ケース１０の前端下辺にはスロープ部材２０が着脱可能に取り付けられている。本実施例では、外ケース１０の前端には枠部材１１が嵌められており、枠部材１１の下辺にスロープ部材２０が着脱可能に取り付けられている。
【００１８】
　スロープ部材２０は、取り付けられる外ケース１０の底板上面から斜め下前方に傾斜する傾斜面２１を有するとともに、その上面には凹部２２が形成されている。また、外ケース１０の底板下面には枠部材１１の後端に隣接する溝部１２が形成されており、図７に示すように、枠部材１１はスロープ部材２０の凹部２２に嵌り、凹部２２の後壁２２ａは外ケース１０の溝部１２に嵌るように構成され、外ケース１０に対しスロープ部材２０を着脱可能としている。
【００１９】
　ここで、スロープ部材２０の凹部２２の後壁２２ａは、外ケース１０に対するスロープ部材２０の取り付け具合を強める観点から、外ケース１０の溝部１２に強制的に嵌合するように形成されるのが好ましい。本実施例では、図５に示すように、後壁２２ａの後部に、ほぼ等間隔おきに４つの突部２３、２３、２３、２３が設けられており、後壁２２ａおよび突部２３が外ケース１０の溝部１２に強制的に嵌合される。
【００２０】
　内ケース３０は、上面に開口したボックス形状であり、底部前端および後端の左右両端には車輪３１、３１、３１、３１が設けられている。車輪３１の半径は、スロープ部材２０の傾斜面よりも大きく設定しておくことが好ましく、このような構成にすることにより、幼児でも内ケースの出し入れを容易に行うことができる。また、車輪を大きめに設定しておくことで、取り出した内ケースを安定して移動させることができる。
【００２１】
　図１および図３に示すように、内ケース３０の前壁３２の上端は後壁３３よりも低く形成されている。このような構成にすることで、外ケースに内ケースを収納した状態においても、内ケースの前面上部から内容物の取り出しが可能である。本実施例では、前壁３２の上端は水平に形成されているが、これに限られず他にも左右両端が高く中央部だけが刳り下がった形状等としてもよい。
【００２２】
　また、本実施例のように、内ケース３０の前壁３２および後壁３３の両方に取っ手３２ａ、３３ａが設けられているのが好ましい。本実施例では前壁の方が後壁よりも低い場合を図示しているが、内ケースの前面上部を開口することにより内ケース内に埃等が入ってしまうのを嫌う場合には、前後両方に取っ手を設けられているので、前後を反対にして使用することも可能である。また、前後両方に取っ手が設けられているので、外ケースから取り出した内ケースを移動させる際にも便利である。
【００２３】
　取っ手の形状は、幼児でも把持しやすい形状であれば特に限定されるものではないが、例えば、本実施例のように、左右方向に長く前後方向に湾曲した形状が好ましく用いられる。
【００２４】
　本実施例では図示していないが、内ケースを外ケースに収納した状態で内ケースが前方へ転がり落ちるのを防ぐストッパーを、外ケースの底板上面前端に、載置するのが好ましい。このストッパーの形状は、特に限定されるものではないが、例えば、内ケースの左右の幅とほぼ同じ長さを有する細長い板状のものが挙げられる。
【００２５】
　本考案の収納ケースの材質は、上記のような構成にすることができれば特に限定されるものではないが、成形性の観点から、合成樹脂を用いるのが好ましい。さらに、内ケースに関しては、収納状態においても内容物がわかるように透視可能な合成樹脂を用いることが好ましい。
【図面の簡単な説明】
【００２６】
【図１】本考案の収納ケースの一実施例を示す斜視図であり、中ケースを手前に引き出した状態を示している。
【図２】図１の収納ケースの外ケースの外観斜視図である。
【図３】図１の収納ケースの中ケースの外観斜視図である。
【図４】図２の外ケースのスロープ部材を前方から見た斜視図である。
【図５】図２の外ケースのスロープ部材の平面図である。
【図６】図１の収納ケースにおいて、中ケースを外ケースに収納した状態の縦断面図であり、図１におけるＸ−Ｘ断面図である。
【図７】図６におけるＡ部分の分解拡大図である。
【符号の説明】
【００２７】
１０　外ケース
１１　枠部材
１２　溝部
１３　蓋
２０　スロープ部材
２１　傾斜面
２２　凹部
２２ａ　後壁
２３　突部
３０　内ケース
３１　車輪
３２　前壁
３２ａ　取っ手
３３　後壁
３３ａ　取っ手
【図１】
0003099679.tif 000003
【図２】
0003099679.tif 000004
【図３】
0003099679.tif 000005
【図４】
0003099679.tif 000006
【図５】
0003099679.tif 000007
【図６】
0003099679.tif 000008
【図７】
0003099679.tif 000009